(57)【特許請求の範囲】
【請求項１】
凝縮ユニットと、該凝縮ユニットと冷凍サイクルを構成する蒸発器と、該蒸発器に送られる水を冷却して製氷を行う製氷部とを有する製氷機本体と、前記製氷部から氷を受けて貯氷を行う貯氷庫とを具え、前記貯氷庫は、周囲の壁を断熱材で形成し、底面にローラが設けられており、下部が製氷機設置面まで開けられた貯氷庫収納部に、前記製氷機本体から分離可能な状態で収納されていることを特徴とする製氷機。
【発明の詳細な説明】
【０００１】
【発明の属する技術分野】
本発明は、製氷した氷を貯めておくための貯氷庫を有する製氷機に関するものである。
【０００２】
【従来の技術】
図４は、従来の製氷機の外観図であり、図５は、その正面図である。図４，図５において、１は天板、２はガラス戸、３は脚部、４は冷却空気取入口、５は凝縮ユニット、６は製氷部、７は貯氷庫、８は氷である。
【０００３】
この製氷機は、アンダーカウンタータイプであり、コールドテーブルやアンダーカウンタータイプの食器洗浄機等と並べて設置されて、天板１の上をテーブルとして使用できるようになっている。
【０００４】
この製氷機では、液化冷媒を凝縮ユニット５から製氷部６の蒸発器に流して、そこで蒸発させることにより、外部から供給された水を冷却して氷を作る。作った氷８は、製氷部６の横側下部に断熱壁に囲まれた形で製氷機と一体的に設けられた貯氷庫７に貯めておき、必要に応じて、ガラス戸２を開けて貯氷庫７から氷８を取り出して用いる。そして、貯氷庫７の中の氷８が少なくなったら、再び製氷部６を運転させて氷を作る。
【０００５】
なお、このような製氷機に関連する従来の文献としては、例えば、特開平6-117746号公報(F25D 21/04)がある。
【０００６】
【発明が解決しようとする課題】
ところで、最近、体育館等のスポーツ施設で、アイシングに使うための氷の需要が出てきている。そのような場合、スポーツを行う場所にある程度の量の氷を用意しておき、氷が必要になったらすぐ使えるようにしておく必要がある。しかしながら、上記した従来の製氷機では、給排水の必要がある関係上、製氷機自体をスポーツを行う場所の近くまで移動させることができず、そのような使い方には対応できないという問題点があった。
【０００７】
また、製氷機がスポーツを行う場所から離れた場所にあっても、製氷機の氷をクーラーボックス等に移し替えて、必要な場所に用意しておくという方法も取り得るが、製氷機からクーラーボックスに氷を移し替える作業に手間がかかるという問題点があった。
【０００８】
本発明は、そのような問題点を解決し、製氷機本体を移動させることなく、しかも、氷を移し替えることなく、必要場所まで移動して貯蔵できるようにすることを目的とするものである。
【０００９】
【課題を解決するための手段】
前記課題を解決するため、本願発明の製氷機は、凝縮ユニットと、該凝縮ユニットと冷凍サイクルを構成する蒸発器と、該蒸発器に送られる水を冷却して製氷を行う製氷部とを有する製氷機本体と、前記製氷部から氷を受けて貯氷を行う貯氷庫とを具え、前記貯氷庫は、周囲の壁を断熱材で形成し、底面にローラが設けられており、下部が製氷機設置面まで開けられた貯氷庫収納部に、前記製氷機本体から分離可能な状態で収納されていることを特徴とする。このようにすると、製氷機本体を移動させることなく、しかも、氷を移し替えることなく、氷を必要場所まで持っていくことができる。さらに、貯氷庫に氷を入れた状態で製氷機本体から取り外しても、中の氷が融けないように保存でき、貯氷庫をそのまま氷ストッカーとして用いることが可能となり、しかも、貯氷庫が氷により重くなっても、ローラにより、貯氷庫を製氷機本体から容易に引き出すことができ、そのまま必要な場所まで引いて行くこともできる。
【００１０】
【発明の実施の形態】
以下、本発明の実施の形態を図面に基づいて詳細に説明する。
図１は、本発明の製氷機の外観図である。図１において、符号１〜４は、図４のものに対応しており、１０は貯氷庫、１１はローラ、１２は把手である。
【００１１】
図示しないが、冷却空気取入口４の内側には、凝縮ユニット５が設置されている。該凝縮ユニット５は、圧縮機，凝縮器，凝縮器冷却用送風機を具えており、その内、凝縮器はチューブフィンコンデンサを用いている。また、冷却空気取入口４には、ゴミ，塵等の侵入を防止するフィルターが設けられている。そして、その内側に凝縮器が配設され、凝縮器の後方には、凝縮器冷却用送風機，圧縮機が順次配設されている。
【００１２】
従来の製氷機は、図４，図５に示したように、貯氷庫が製氷機内部に一体的に設けられていたのに対して、本発明の貯氷庫１０は、製氷機本体と分離可能になっている。そして、貯氷庫１０の底部および周囲の壁は、内部に発泡樹脂等よりなる断熱材が充填されていて、中に貯められた氷が融けないようにしている。また、その底面には、貯氷庫１０の移動を容易にするためにローラ１１が設けられている。なお、ローラ１１は、水平方向に３６０°回転することが可能になっており、そのことにより、狭い通路を移動する際も容易に移動可能となる。
【００１３】
一方、製氷機本体は、図２に示すように、従来の製氷機において貯氷庫があった部分が、製氷機設置面まで開けられていて、貯氷庫収納部１３が形成されており、製氷を行う際には、その貯氷庫収納部１３に貯氷庫１０を差し込んだ状態で製氷を行う。そして、製氷機本体内の上部にある製氷部で作った氷は、貯氷庫１０の中に落下して、その中に貯められていき、貯氷庫１０が氷で一杯になったら、把手１２を持って手前に引き出し、必要な場所まで引いていく。
【００１４】
なお、この把手１２は、貯氷庫１０の前後に設けられていて、貯氷庫１０の収納は、前後どちらでもよい構造とされている。そのため、貯氷庫１０収納時、前後の方向に気を使う必要がなくなり、貯氷庫１０の収納作業を容易にすることができる。さらに、例えば、階段等で貯氷庫１０を持ち上げる必要が生じた場合でも、１人または２人で前後の把手１２を持つことにより、容易に貯氷庫１０を持ち上げることができる。また、この把手１２は、本実施形態では、前後２面に設けているが、前後左右の４面全てに設けてもよい。それと併せて、貯氷庫１０の平面形状を正方形にすれば、貯氷庫１０の貯氷庫収納部１３への収納作業を更に容易にすることができる上、貯氷庫１０を持ち上げる必要が生じた場合には、２人以上の複数人で持ち上げることが可能になる。
【００１５】
また、図３に示すように、貯氷庫１０の上部開口部を覆うための蓋１５を用意しておく。その蓋１５は、例えば、ＡＢＳ樹脂により形成し、内部に発泡樹脂等より成る断熱材を充填する。そして、貯氷庫１０の貯氷部１４に氷を入れた状態で製氷機本体から引き出したとき、貯氷部１４の上部開口部に蓋１５を被せて、中に埃が入ったり、中の氷が融けたりしないようにしている。
【００１６】
このような製氷機は、体育館等のスポーツ施設の給排水設備がある場所に設置し、そこで製氷を行う。そして、貯氷庫１０に氷が貯ったら、氷が入ったまま貯氷庫１０を製氷機本体から引き出して、氷が必要な場所まで移動させてアイシング等に用いる。このようにすれば、製氷機本体は、給排水設備がある場所に設置しながら、氷をストッカー等に移し替えることなく、氷を必要場所まで持っていくことが可能になる。
【００１７】
このような貯氷庫１０は、１台の製氷機本体に対して１個あれば良いが、同様な貯氷庫１０を２個またはそれ以上の複数個を用意しておき、１個が満杯になったらそれを外に引き出し、残りの貯氷庫１０を製氷機本体にセットするようにすればさらに便利である。そのようにすれば、１個の貯氷庫１０が満杯になっても、その後も貯氷を続けることが可能となり、結果的に、小さな設備でも大きな貯氷能力を得ることが可能になる。
【００１８】
なお、本発明の製氷機を用いる施設は、体育館等のスポーツ施設に限定されず、製氷機から離れた場所で多量の氷を使うような施設であれば、それ以外の施設でも有効に用いることができる。
【００１９】
【発明の効果】
本発明は、以上説明したように構成されているので、次に記載するような効果を奏する。
請求項１記載の製氷機は、貯氷庫を製氷機本体から分離可能にしたので、製氷機本体を移動させることなく、しかも、氷を移し替えることなく、氷を必要場所まで持っていくことができる。また、周囲の壁を断熱材で形成し、底面にローラを設け、下部が製氷機設置面まで開けられた貯氷庫収納部に収納するようにしたので、貯氷庫に氷を入れた状態で製氷機本体から取り外しても、中の氷が融けないように保存でき、貯氷庫をそのまま氷ストッカーとして用いることが可能となり、しかも、貯氷庫が氷により重くなっても、ローラにより、貯氷庫を製氷機本体から容易に引き出すことができ、そのまま必要な場所まで引いて行くこともできる。
【図面の簡単な説明】
【図１】  本発明の製氷機の外観図である。
【図２】  製氷機から貯氷庫を引き出した状態を示す図である。
【図３】  本発明の製氷機の貯氷庫を示す図である。
【図４】  従来の製氷機の外観図である。
【図５】  従来の製氷機の正面図である。
【符号の説明】
１…天板
４…冷却空気取入口
５…凝縮ユニット
６…製氷部
７…貯氷庫
８…氷
１０…貯氷庫
１１…ローラ
１２…把手
１３…貯氷部
１４…蓋
【図１】
0003902295.tif 000002
【図２】
0003902295.tif 000003
【図３】
0003902295.tif 000004
【図４】
0003902295.tif 000005
【図５】
0003902295.tif 000006